【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
同心円筒システムの内軸に摺動可能に結合するように構成された装着要素と、
前記内軸の近位部分で前記装着要素に結合し、前記同心円筒システムの外筒の遠位先端部と内筒の遠位先端部との間に位置する局部的なターゲットゾーン近傍の組織の一部分上で処置を実行するように構成されたエフェクタ構成要素と
を備えるエフェクタ導入システム。
【請求項２】
前記装着要素がカートであり、前記カートが、前記内軸の少なくとも一部分を取り囲むように構成された少なくとも一つの取り囲み要素を備え、前記内軸から取り外し可能である、請求項１に記載のシステム。
【請求項３】
前記装着要素がバスであり、前記バスが前記内軸に取り付けられる、請求項１に記載のシステム。
【請求項４】
前記エフェクタ構成要素が、螺旋、メッシュ、若しくは網状のワイアエフェクタ構成要素、撹拌手段、コイル、ブレード、ループ、又は薬物若しくは薬剤配合物の一つ以上を含む受動的構成要素である、請求項１に記載のシステム。
【請求項５】
前記エフェクタ構成要素が、膨張式バルーン、展開可能な部材、作用薬送達モジュール、光学的構成要素、超音波構成要素、電気的構成要素、磁気的構成要素、流体的構成要素、空気圧構成要素、化学的構成要素、機械的構成要素、又は薬物若しくは薬剤送達管腔の一つ以上を含む能動的構成要素である、請求項１に記載のシステム。
【請求項６】
前記能動的構成要素に結合された能動的構成要素制御コネクタをさらに備え、前記能動的構成要素制御コネクタが、前記能動的構成要素を作動させるように構成される、請求項５に記載のシステム。
【請求項７】
同心円筒システムの内軸に摺動可能に結合するように構成された装着要素と、
前記装着要素に結合し、前記同心円筒システムの外筒の遠位先端部と内筒の遠位先端部との間に位置する局部的なターゲットゾーン近傍の組織の一部分上で処置を実行するように構成されたエフェクタ構成要素と、
前記装着要素の近位部分に結合し、前記内軸の少なくとも一部分に沿って前記装着要素を前進又は後退させるための力を印加するように構成されたフィーダリンク機構と
を備えるエフェクタ導入システム。
【請求項８】
前記装着要素がカートであり、前記カートが、前記内軸の少なくとも一部分を取り囲むように構成された少なくとも一つの取り囲み要素を備え、前記内軸から取り外し可能である、請求項７に記載のシステム。
【請求項９】
前記エフェクタ構成要素が、螺旋、メッシュ、若しくは網状のワイアエフェクタ構成要素、撹拌手段、コイル、ブレード、ループ、又は薬物若しくは薬剤配合物の一つ以上を含む受動的構成要素である、請求項７に記載のシステム。
【請求項１０】
前記エフェクタ構成要素が、膨張式バルーン、展開可能な部材、作用薬送達モジュール、光学的構成要素、超音波構成要素、電気的構成要素、磁気的構成要素、流体的構成要素、空気圧構成要素、化学的構成要素、機械的構成要素、又は薬物若しくは薬剤送達管腔の一つ以上を含む能動的構成要素である、請求項７に記載のシステム。
【請求項１１】
前記能動的構成要素に結合された能動的構成要素制御コネクタをさらに備え、前記能動的構成要素制御コネクタが、前記能動的構成要素を作動させるように構成される、請求項１０に記載のシステム。
【請求項１２】
前記フィーダリンク機構が、堅いワイア、ひし形若しくははさみ式のリンク機構、伸縮性ライン、又は一連の剛性若しくは半剛性のリンクの一つ以上を備える、請求項７に記載のシステム。
【請求項１３】
前記装着要素がバスであり、前記バスが前記内軸に取り付けられる、請求項７に記載のシステム。
【請求項１４】
前記フィーダリンク機構を前記バスに結合するように構成されたソケット手段をさらに備える、請求項１３に記載のシステム。
【請求項１５】
前記ソケット手段が、
第１のソケットユニットと、
第２のソケットユニットと
を備え、
前記第１のソケットユニットが、前記第２のソケットユニットに対する取り付け部を形成するように構成され、
前記第１のソケットユニットが、前記バスの一部分に取り付けられ、
前記第２のソケットユニットが、前記フィーダリンク機構の遠位部分に取り付けられる、請求項１４に記載のシステム。
【請求項１６】
同心円筒システムの内軸に摺動可能に結合するように構成されたカートと、
前記カートに結合し、局部的なターゲットゾーン内の組織の一部分上で処置を実行するように構成されたエフェクタ構成要素であって、前記局部的なターゲットゾーンが、前記同心円筒システムの外筒の遠位先端部と内筒の遠位先端部との間に位置する、エフェクタ構成要素と、
前記カートに結合し、前記内軸の少なくとも一部分に沿って前記カートを前進又は後退させるための力を印加するように構成されたフィーダリンク機構と、
前記カートを前記内軸に装着するように構成されたアプリケータと
を備えるエフェクタ導入システム。
【請求項１７】
前記カートが、前記内軸の少なくとも一部分を取り囲むように構成された少なくとも一つの取り囲み要素を備え、前記内軸から取り外し可能である、請求項１６に記載のシステム。
【請求項１８】
前記エフェクタ構成要素が、螺旋、メッシュ、若しくは網状のワイアエフェクタ構成要素、撹拌手段、コイル、ブレード、ループ、又は薬物若しくは薬剤配合物の一つ以上を含む受動的構成要素である、請求項１６に記載のシステム。
【請求項１９】
前記エフェクタ構成要素が、膨張式バルーン、展開可能な部材、作用薬送達モジュール、光学的構成要素、超音波構成要素、電気的構成要素、磁気的構成要素、流体的構成要素、空気圧構成要素、化学的構成要素、機械的構成要素、又は薬物若しくは薬剤送達管腔の一つ以上を含む能動的構成要素である、請求項１６に記載のシステム。
【請求項２０】
前記能動的構成要素に結合された能動的構成要素制御コネクタをさらに備え、前記能動的構成要素制御コネクタが、前記能動的構成要素を作動させるように構成される、請求項１９に記載のシステム。
【請求項２１】
前記フィーダリンク機構が、堅いワイア、ひし形若しくははさみ式のリンク機構、伸縮性ライン、又は一連の剛性若しくは半剛性のリンクの一つ以上を備える、請求項１６に記載のシステム。
【請求項２２】
前記アプリケータが、前記カートに結合し、前記カートを前記内軸に装着するように構成された遠位部分を備える、請求項１６に記載のシステム。
【請求項２３】
前記アプリケータが、前記同心円筒システムの前記内軸より狭い横寸法を有する延長部分をさらに備える、請求項２２に記載のシステム。
【請求項２４】
同心円筒システムの内軸に摺動可能に取り付けられたバスと、
局部的なターゲットゾーン内の組織の一部分上で処置を実行するように構成されたエフェクタ構成要素であって、前記局部的なターゲットゾーンが、前記同心円筒システムの外筒の遠位先端部と内筒の遠位先端部との間に位置する、エフェクタ構成要素と、
前記内軸の少なくとも一部分に沿って前記バスを前進又は後退させるための力を印加するように構成されたフィーダリンク機構と、
前記フィーダリンク機構を前記バスに結合するように構成されたソケット手段と、
前記ソケット手段を使用して前記結合を実行するように構成されたソケットアプリケータと
を備えるエフェクタ導入システム。
【請求項２５】
前記エフェクタ構成要素が、螺旋、メッシュ、若しくは網状のワイアエフェクタ構成要素、撹拌手段、コイル、ブレード、ループ、又は薬物若しくは薬剤配合物の一つ以上を含む受動的構成要素である、請求項２４に記載のシステム。
【請求項２６】
前記エフェクタ構成要素が、膨張式バルーン、展開可能な部材、作用薬送達モジュール、光学的構成要素、超音波構成要素、電気的構成要素、磁気的構成要素、流体的構成要素、空気圧構成要素、化学的構成要素、機械的構成要素、又は薬物若しくは薬剤送達管腔の一つ以上を含む能動的構成要素である、請求項２４に記載のシステム。
【請求項２７】
前記能動的構成要素に結合された能動的構成要素制御コネクタをさらに備え、前記能動的構成要素制御コネクタが、前記能動的構成要素を作動させるように構成される、請求項２６に記載のシステム。
【請求項２８】
前記フィーダリンク機構が、堅いワイア、ひし形若しくははさみ式のリンク機構、伸縮性ライン、又は一連の剛性若しくは半剛性のリンクの一つ以上を備える、請求項２４に記載のシステム。
【請求項２９】
前記ソケット手段が、
第１のソケットユニットと、
第２のソケットユニットと
を備え、
前記第１のソケットユニットが、前記第２のソケットユニットに対する取り付け部を形成するように構成され、
前記第１のソケットユニットが、前記バスの一部分に取り付けられ、
前記第２のソケットユニットが、前記フィーダリンク機構の遠位部分に取り付けられる、請求項２４に記載のシステム。
【請求項３０】
前記ソケットアプリケータが、前記第１のソケットユニットを前記第２のソケットユニットに取り付けるように構成される、請求項２９に記載のシステム。